【手続補正書】
【提出日】平成26年10月24日(2014.10.24)
【手続補正１】
【補正対象書類名】特許請求の範囲
【補正対象項目名】全文
【補正方法】変更
【補正の内容】
【特許請求の範囲】
【請求項１】
パーソナルオーディオデバイスであって、該パーソナルオーディオデバイスは、
パーソナルオーディオデバイスハウジングと、
オーディオ信号を再生するために該ハウジングに取りつけられている変換器であって、該オーディオ信号は、聞く人へのプレイバックのためのソースオーディオと、該変換器の音響出力における周囲オーディオサウンドの影響を打ち消すためのアンチノイズ信号との両方を含む、変換器と、
該周囲オーディオサウンドを示す基準マイクロフォン信号を提供するために該ハウジングに取りつけられている基準マイクロフォンと、
該変換器の該音響出力および該変換器における該周囲オーディオサウンドを示すエラーマイクロフォン信号を提供するために該変換器に近接して該ハウジングに取りつけられているエラーマイクロフォンと、
少なくとも１つの適応フィルターを実装する処理回路と
を含み、該少なくとも１つの適応フィルターは、該聞く人によって聞かれる該周囲オーディオサウンドの存在を弱めるための該アンチノイズ信号を該基準信号から生成する応答を有し、該処理回路は、該適応フィルターの該応答を該エラーマイクロフォンにおける該周囲オーディオサウンドを最小にするように適応させることによって、該エラーマイクロフォン信号と該基準マイクロフォン信号とに適合した該少なくとも１つの適応フィルターの該応答を作成し、該処理回路は、該適応フィルターが該アンチノイズ信号において望ましくない成分を生成する原因となりうる周囲オーディオ事象が発生していることを検出して、該少なくとも１つの適応フィルターの該適応を変化させ、該周囲オーディオ事象は、風ノイズ、該パーソナルオーディオデバイスの該ハウジングをひっかくこと、実質的にトーンの周囲サウンド、該変換器と該基準マイクロフォンとの間の連結の変化による、該基準マイクロフォンを通した正のフィードバックによる信号、または該基準マイクロフォン信号の信号レベルが事前に決定された範囲から外れることである、
パーソナルオーディオデバイス。
【請求項２】
前記処理回路は、前記適応フィルターの少なくとも１つの前記適応を停止させることによって、該適応フィルターの該適応を変化させる、請求項１に記載のパーソナルオーディオデバイス。
【請求項３】
前記処理回路は、前記周囲オーディオ事象中、前記アンチノイズ信号をさらにミュートする、請求項２に記載のパーソナルオーディオデバイス。
【請求項４】
前記処理回路は、前記少なくとも１つの適応フィルターの１つ以上の係数を事前に決定された値にセットすることにより、前記周囲オーディオ事象による該少なくとも１つの適応フィルターの前記応答の前記適応の混乱を改善する、請求項２に記載のパーソナルオーディオデバイス。
【請求項５】
前記周囲オーディオ事象は、風ノイズまたは前記パーソナルオーディオデバイスの前記ハウジングをひっかくことである、請求項２に記載のパーソナルオーディオデバイス。
【請求項６】
前記周囲オーディオ事象は、前記変換器と前記基準マイクロフォンとの間の連結の変化による、該基準マイクロフォンを通した正のフィードバックによる信号であり、前記処理回路は、前記少なくとも１つの適応フィルターの適応を特定の期間停止させて、該特定の期間が経過した後、該適応フィルターの適応を再開する、請求項２に記載のパーソナルオーディオデバイス。
【請求項７】
前記特定の期間は、前記周囲オーディオ事象の各発生に対して増加する、請求項６に記載のパーソナルオーディオデバイス。
【請求項８】
前記周囲オーディオ事象は、前記基準マイクロフォン信号のレベルが事前に決定された範囲から外れることである、請求項２に記載のパーソナルオーディオデバイス。
【請求項９】
前記処理回路は、前記基準マイクロフォン信号の前記レベルが前記事前に決定された範囲から外れていることを決定することに応答して、前記アンチノイズ信号をミュートする、請求項８に記載のパーソナルオーディオデバイス。
【請求項１０】
前記周囲オーディオ事象は、実質的にトーンである、請求項２に記載のパーソナルオーディオデバイス。
【請求項１１】
前記周囲オーディオ事象は、近端の発話である、請求項２に記載のパーソナルオーディオデバイス。
【請求項１２】
前記少なくとも１つの適応フィルターの前記応答の適応制御は、該少なくとも１つの適応フィルターの該応答を事前に決定された応答に特定の変化率で戻す漏れ特性を有し、前記処理回路は、前記周囲オーディオ事象が発生していることを検出することに応答して、該漏れ特性を変化させることにより、該少なくとも１つの適応フィルターの前記適応を変化させる、請求項１に記載のパーソナルオーディオデバイス。
【請求項１３】
前記少なくとも１つの適応フィルターは、前記アンチノイズ信号を生成するための前記基準マイクロフォン信号をフィルターにかける適応フィルターを含み、前記処理回路は、前記周囲オーディオ事象を検出することに応答して、該基準マイクロフォン信号をフィルターにかける該適応フィルターの前記適応を変化させる、請求項１に記載のパーソナルオーディオデバイス。
【請求項１４】
前記少なくとも１つの適応フィルターは、前記ソースオーディオを作成する第二の経路応答を有する第二の経路適応フィルター、および該ソースオーディオを前記エラーマイクロフォン信号から除去するコンバイナーを含むことにより、アンチノイズと前記聞く人に送達される周囲オーディオサウンドとの組み合わせを示すエラー信号を提供し、前記処理回路は、該適応フィルターを、該第二の経路適応フィルターのコピーの出力と相互に関連づけられる該エラー信号の成分を最小にするように適応させ、該処理回路は、前記周囲オーディオ事象を検出することに応答して、該第二の経路適応フィルターの該適応を変化させる、請求項１に記載のパーソナルオーディオデバイス。
【請求項１５】
前記周囲オーディオ事象は、前記ソースオーディオのレベルが事前に決定された範囲から外れることであり、前記処理回路は、該ソースオーディオの該レベルが該事前に決定された範囲から外れていることを決定することに応答して、前記第二の経路適応フィルターの適応を停止させる、請求項１４に記載のパーソナルオーディオデバイス。
【請求項１６】
パーソナルオーディオデバイスの変換器の近くにおいて周囲オーディオサウンドをキャンセルする方法であって、該方法は、
基準マイクロフォン信号を生成する基準マイクロフォンを用いて周囲オーディオサウンドを測定する第一の測定を行うことと、
エラーマイクロフォンを用いて、該変換器の出力および該変換器における該周囲オーディオサウンドを測定する第二の測定を行うことと、
該変換器の音響出力における周囲オーディオサウンドの影響を打ち消すために、該基準マイクロフォンの出力をフィルターにかける適応フィルターの応答を適応させることによって、該第一の測定を行うことおよび該第二の測定を行うことの結果からアンチノイズ信号を適応的に生成することと、
該変換器に提供されるオーディオ信号を生成するために、前記アンチノイズ信号をソースオーディオ信号と組み合わせることと、
該適応フィルターが該アンチノイズ信号において望ましくない成分を生成する原因となりうる周囲オーディオ事象が発生していることを検出することであって、該周囲オーディオ事象は、風ノイズ、該パーソナルオーディオデバイスのハウジングをひっかくこと、実質的にトーンの周囲サウンド、該変換器と該基準マイクロフォンとの間の連結の変化による、該基準マイクロフォンを通した正のフィードバックによる信号、または該基準マイクロフォン信号の信号レベルが事前に決定された範囲から外れることである、ことと、
該検出することに応答して、少なくとも１つの適応フィルターの該適応を変化させることと
を含む、方法。
【請求項１７】
前記変化させることは、前記適応フィルターの少なくとも１つの前記適応を停止させることによって、該適応フィルターの該適応を変化させる、請求項１６に記載の方法。
【請求項１８】
前記周囲オーディオ事象中、前記アンチノイズ信号をミュートすることをさらに含む、請求項１７に記載の方法。
【請求項１９】
前記変化させることは、前記少なくとも１つの適応フィルターの１つ以上の係数を事前に決定された値にセットすることにより、前記周囲オーディオ事象による該少なくとも１つの適応フィルターの前記応答の前記適応の混乱を改善する、請求項１７に記載の方法。
【請求項２０】
前記周囲オーディオ事象は、風ノイズまたは前記パーソナルオーディオデバイスの前記ハウジングをひっかくことである、請求項１７に記載の方法。
【請求項２１】
前記周囲オーディオ事象は、前記変換器と前記基準マイクロフォンとの間の連結の変化による、該基準マイクロフォンを通した正のフィードバックによる信号であり、前記変化させることは、前記少なくとも１つの適応フィルターの適応を特定の期間停止させ、該特定の期間が経過した後、該適応フィルターの適応を再開することを含む、請求項１７に記載の方法。
【請求項２２】
前記特定の期間を前記周囲オーディオ事象の各発生に対して増加させることをさらに含む、請求項２１に記載の方法。
【請求項２３】
前記周囲オーディオ事象は、前記基準マイクロフォン信号のレベルが事前に決定された範囲から外れることである、請求項１７に記載の方法。
【請求項２４】
前記変化させることは、前記基準マイクロフォン信号の前記レベルが前記事前に決定された範囲から外れていることを決定することに応答して、前記アンチノイズ信号をミュートすることを含む、請求項２３に記載の方法。
【請求項２５】
前記周囲オーディオ事象は、実質的にトーンである、請求項１７に記載の方法。
【請求項２６】
前記周囲オーディオ事象は、近端の発話である、請求項１７に記載の方法。
【請求項２７】
前記少なくとも１つの適応フィルターの前記応答の適応制御は、該少なくとも１つの適応フィルターの該応答を事前に決定された応答に特定の変化率で戻す漏れ特性を有し、前記変化させることは、前記周囲オーディオ事象が発生していることを検出することに応答して、該漏れ特性を変化させることにより、該少なくとも１つの適応フィルターの前記適応を変化させる、請求項１６に記載の方法。
【請求項２８】
前記少なくとも１つの適応フィルターは、前記アンチノイズ信号を生成するための前記基準マイクロフォン信号をフィルターにかける適応フィルターを含み、前記変化させることは、前記周囲オーディオ事象を検出することに応答して、該基準マイクロフォン信号をフィルターにかける該適応フィルターの前記適応を変化させる、請求項１６に記載の方法。
【請求項２９】
前記少なくとも１つの適応フィルターは、前記ソースオーディオを作成する第二の経路応答を有する第二の経路適応フィルターを含み、かつ該ソースオーディオを前記エラーマイクロフォン信号から除去することにより、アンチノイズと聞く人に送達される周囲オーディオサウンドとの組み合わせを示すエラー信号を提供し、前記方法は、該第二の経路適応フィルターの該応答を、該エラー信号と相互に関連づけられる前記基準信号の成分を最小にするように適応させることを含み、前記変化させることは、前記周囲オーディオ事象を検出することに応答して、該第二の経路適応フィルターの該適応を変化させる、請求項１６に記載の方法。
【請求項３０】
前記周囲オーディオ事象は、前記ソースオーディオのレベルが事前に決定された範囲から外れることであり、前記変化させることは、該ソースオーディオの該レベルが該事前に決定された範囲から外れていることを決定することに応答して、前記第二の経路適応フィルターの応答を停止させる、請求項２９に記載の方法。
【請求項３１】
パーソナルオーディオデバイスの少なくとも一部を実装する集積回路であって、該集積回路は、
信号を変換器に提供する出力であって、該信号は、聞く人へのプレイバックのためのソースオーディオと、該変換器の音響出力における周囲オーディオサウンドの影響を打ち消すためのアンチノイズ信号との両方を含む、出力と、
該周囲オーディオサウンドを示す基準マイクロフォン信号を受信する基準マイクロフォン入力と、
該変換器の該出力および該変換器における該周囲オーディオサウンドを示すエラーマイクロフォン信号を受信するエラーマイクロフォン入力と、
少なくとも１つの適応フィルターを実装する処理回路と
を含み、該少なくとも１つの適応フィルターは、該聞く人によって聞かれる該周囲オーディオサウンドの存在を弱めるための該アンチノイズ信号を該基準信号から生成する応答を有し、該処理回路は、該適応フィルターの該応答を該エラーマイクロフォンにおける該周囲オーディオサウンドを最小にするように適応させることによって、該エラーマイクロフォン信号と該基準マイクロフォン信号とに適合した該適応フィルターの該応答を作成し、該処理回路は、該適応フィルターが該アンチノイズ信号において望ましくない成分を生成する原因となりうる周囲オーディオ事象が発生していることを検出して、該少なくとも１つの適応フィルターの該適応を変化させ、該周囲オーディオ事象は、風ノイズ、該パーソナルオーディオデバイスのハウジングをひっかくこと、実質的にトーンの周囲サウンド、該変換器と該基準マイクロフォンとの間の連結の変化による、該基準マイクロフォンを通した正のフィードバックによる信号、または該基準マイクロフォン信号の信号レベルが事前に決定された範囲から外れることである、
集積回路。
【請求項３２】
前記処理回路は、前記適応フィルターの少なくとも１つの前記適応を停止させることによって、該適応フィルターの該適応を変化させる、請求項３１に記載の集積回路。
【請求項３３】
前記処理回路は、前記周囲オーディオ事象中、前記アンチノイズ信号をさらにミュートする、請求項３２に記載の集積回路。
【請求項３４】
前記処理回路は、前記少なくとも１つの適応フィルターの１つ以上の係数を事前に決定された値にセットすることにより、前記周囲オーディオ事象による該少なくとも１つの適応フィルターの前記応答の前記適応の混乱を改善する、請求項３２に記載の集積回路。
【請求項３５】
前記周囲オーディオ事象は、風ノイズまたは前記パーソナルオーディオデバイスの前記ハウジングをひっかくことである、請求項３２に記載の集積回路。
【請求項３６】
前記周囲オーディオ事象は、前記変換器と前記基準マイクロフォンとの間の連結の変化による、該基準マイクロフォンを通した正のフィードバックによる信号であり、前記処理回路は、前記少なくとも１つの適応フィルターの適応を特定の期間停止させて、該特定の期間が経過した後、該適応フィルターの適応を再開する、請求項３２に記載の集積回路。
【請求項３７】
前記特定の期間は、前記周囲オーディオ事象の各発生に対して増加する、請求項３６に記載の集積回路。
【請求項３８】
前記周囲オーディオ事象は、前記基準マイクロフォン信号のレベルが事前に決定された範囲から外れることである、請求項３２に記載の集積回路。
【請求項３９】
前記処理回路は、前記基準マイクロフォン信号の前記レベルが前記事前に決定された範囲から外れていることを決定することに応答して、前記アンチノイズ信号をミュートする、請求項３８に記載の集積回路。
【請求項４０】
前記周囲オーディオ事象は、実質的にトーンである、請求項３２に記載の集積回路。
【請求項４１】
前記周囲オーディオ事象は、近端の発話である、請求項３２に記載の集積回路。
【請求項４２】
前記少なくとも１つの適応フィルターの前記応答の適応制御は、該少なくとも１つの適応フィルターの該応答を事前に決定された応答に特定の変化率で戻す漏れ特性を有し、前記処理回路は、前記周囲オーディオ事象が発生していることを検出することに応答して、該漏れ特性を変化させることにより、該少なくとも１つの適応フィルターの前記適応を変化させる、請求項３１に記載の集積回路。
【請求項４３】
前記少なくとも１つの適応フィルターは、前記アンチノイズ信号を生成するための前記基準マイクロフォン信号をフィルターにかける適応フィルターを含み、前記処理回路は、前記周囲オーディオ事象を検出することに応答して、該基準マイクロフォン信号をフィルターにかける該適応フィルターの前記適応を変化させる、請求項３１に記載の集積回路。
【請求項４４】
前記少なくとも１つの適応フィルターは、前記ソースオーディオを作成する第二の経路応答を有する第二の経路適応フィルター、および該ソースオーディオを前記エラーマイクロフォン信号から除去するコンバイナーを含むことにより、アンチノイズと前記聞く人に送達される周囲オーディオサウンドとの組み合わせを示すエラー信号を提供し、前記処理回路は、該適応フィルターを、該第二の経路適応フィルターのコピーの出力と相互に関連づけられる該エラー信号の成分を最小にするように適応させ、該処理回路は、前記周囲オーディオ事象を検出することに応答して、該第二の経路適応フィルターの該適応を変化させる、請求項３１に記載の集積回路。
【請求項４５】
前記周囲オーディオ事象は、前記ソースオーディオのレベルが事前に決定された範囲から外れることであり、前記処理回路は、該ソースオーディオの該レベルが該事前に決定された範囲から外れていることを決定することに応答して、前記第二の経路適応フィルターの適応を停止させる、請求項４４に記載の集積回路。
【請求項４６】
パーソナルオーディオデバイスであって、該パーソナルオーディオデバイスは、
パーソナルオーディオデバイスハウジングと、
オーディオ信号を再生するために該ハウジングに取りつけられている変換器であって、該オーディオ信号は、聞く人へのプレイバックのためのソースオーディオと、該変換器の音響出力における周囲オーディオサウンドの影響を打ち消すためのアンチノイズ信号との両方を含む、変換器と、
該周囲オーディオサウンドを示す基準マイクロフォン信号を提供するために該ハウジングに取りつけられている基準マイクロフォンと、
該変換器の該音響出力および該変換器における該周囲オーディオサウンドを示すエラーマイクロフォン信号を提供するために該変換器に近接して該ハウジングに取りつけられているエラーマイクロフォンと、
少なくとも１つの適応フィルターを実装する処理回路と
を含み、該少なくとも１つの適応フィルターは、該聞く人によって聞かれる該周囲オーディオサウンドの存在を弱めるための該アンチノイズ信号を該基準信号から生成する応答を有し、該処理回路は、該適応フィルターの該応答を該エラーマイクロフォンにおける該周囲オーディオサウンドを最小にするように適応させることによって、該エラーマイクロフォン信号と該基準マイクロフォン信号とに適合した該少なくとも１つの適応フィルターの該応答を作成し、該処理回路は、該少なくとも１つの適応フィルターの係数における無秩序な動きを検出することによって該アンチノイズ信号が誤っている可能性が高いことを検出して、該アンチノイズ信号を該変換器により再生される該オーディオ信号から除去する、
パーソナルオーディオデバイス。
【請求項４７】
前記少なくとも１つの適応フィルターは、前記ソースオーディオを作成する第二の経路応答を有する第二の経路適応フィルター、および該ソースオーディオを前記エラーマイクロフォン信号から除去するコンバイナーを含むことにより、アンチノイズと前記聞く人に送達される周囲オーディオサウンドとの組み合わせを示すエラー信号を提供し、前記処理回路は、該適応フィルターを、該第二の経路適応フィルターのコピーの出力と相互に関連づけられる該エラー信号の成分を最小にするように適応させ、該処理回路は、該アンチノイズ信号が誤っている可能性が高いことを検出することに応答して、該アンチノイズ信号を該第二の経路適応フィルターの入力にさらに向け、該アンチノイズ信号を生成するための前記基準マイクロフォン信号をフィルターにかける別の適応フィルターの適応は、連続したままである、請求項４６に記載のパーソナルオーディオデバイス。
【請求項４８】
前記少なくとも１つの適応フィルターは、前記ソースオーディオを作成する第二の経路応答を有する第二の経路適応フィルター、および該ソースオーディオを前記エラーマイクロフォン信号から除去するコンバイナーを含むことにより、アンチノイズと前記聞く人に送達される周囲オーディオサウンドとの組み合わせを示すエラー信号を提供し、前記処理回路は、該適応フィルターを、該第二の経路適応フィルターのコピーの出力と相互に関連づけられる該エラー信号の成分を最小にするように適応させ、該処理回路は、該アンチノイズ信号が誤っている可能性が高いことを検出することに応答して、該アンチノイズ信号を該第二の経路適応フィルターの入力にさらに向け、該アンチノイズ信号を生成するための前記基準マイクロフォン信号をフィルターにかける別の適応フィルターの適応は、停止させられる、請求項４６に記載のパーソナルオーディオデバイス。
【請求項４９】
パーソナルオーディオデバイスの変換器の近くにおいて周囲オーディオサウンドをキャンセルする方法であって、該方法は、
基準マイクロフォン信号を生成する基準マイクロフォンを用いて周囲オーディオサウンドを測定する第一の測定を行うことと、
エラーマイクロフォンを用いて、該変換器の出力および該変換器における該周囲オーディオサウンドを測定する第二の測定を行うことと、
該変換器の音響出力における周囲オーディオサウンドの影響を打ち消すために、該基準マイクロフォンの出力をフィルターにかける適応フィルターの応答を適応させることによって、該第一の測定を行うことおよび該第二の測定を行うことの結果からアンチノイズ信号を適応的に生成することと、
該変換器に提供されるオーディオ信号を生成するために、前記アンチノイズ信号をソースオーディオ信号と組み合わせることと、
１つの適応フィルターの係数における無秩序な動きを検出することによって該アンチノイズ信号が誤っている可能性が高いことを検出することと、
該検出することに応答して、該アンチノイズ信号を該変換器により再生される該オーディオ信号から除去することと
を含む、方法。
【請求項５０】
前記少なくとも１つの適応フィルターは、前記ソースオーディオを作成する第二の経路応答を有する第二の経路適応フィルターを含み、かつ該ソースオーディオを前記エラーマイクロフォン信号から除去することにより、アンチノイズと聞く人に送達される周囲オーディオサウンドとの組み合わせを示すエラー信号を提供し、前記方法は、
該第二の経路適応フィルターの該応答を、該エラー信号と相互に関連づけられる前記基準信号の成分を最小にするように適応させることと、
該アンチノイズ信号が誤っている可能性が高いことを検出することに応答して、該アンチノイズ信号を該第二の経路適応フィルターの入力に向けることと、
該アンチノイズ信号を生成するための該基準マイクロフォン信号をフィルターにかける別の適応フィルターの連続した適応を続けることと
をさらに含む、請求項４９に記載の方法。
【請求項５１】
前記少なくとも１つの適応フィルターは、前記ソースオーディオを作成する第二の経路応答を有する第二の経路適応フィルターを含み、かつ該ソースオーディオを前記エラーマイクロフォン信号から除去することにより、アンチノイズと聞く人に送達される周囲オーディオサウンドとの組み合わせを示すエラー信号を提供し、前記方法は、
該第二の経路適応フィルターの該応答を、該エラー信号と相互に関連づけられる前記基準信号の成分を最小にするように適応させることと、
該アンチノイズ信号が誤っている可能性が高いことを検出することに応答して、該アンチノイズ信号を該第二の経路適応フィルターの入力に向けることと、
該アンチノイズ信号を生成するための該基準マイクロフォン信号をフィルターにかける別の適応フィルターの適応を停止させることと
をさらに含む、請求項４９に記載の方法。
【請求項５２】
パーソナルオーディオデバイスの少なくとも一部を実装する集積回路であって、該集積回路は、
信号を変換器に提供する出力であって、該信号は、聞く人へのプレイバックのためのソースオーディオと、該変換器の音響出力における周囲オーディオサウンドの影響を打ち消すためのアンチノイズ信号との両方を含む、出力と、
該周囲オーディオサウンドを示す基準マイクロフォン信号を受信する基準マイクロフォン入力と、
該変換器の該出力および該変換器における該周囲オーディオサウンドを示すエラーマイクロフォン信号を受信するエラーマイクロフォン入力と、
少なくとも１つの適応フィルターを実装する処理回路と
を含み、該少なくとも１つの適応フィルターは、該聞く人によって聞かれる該周囲オーディオサウンドの存在を弱めるための該アンチノイズ信号を該基準信号から生成する応答を有し、該処理回路は、該適応フィルターの該応答を該エラーマイクロフォンにおける該周囲オーディオサウンドを最小にするように適応させることによって、該エラーマイクロフォン信号と該基準マイクロフォン信号とに適合した該少なくとも１つの適応フィルターの該応答を作成し、該処理回路は、該少なくとも１つの適応フィルターの係数における無秩序な動きを検出することによって該アンチノイズ信号が誤っている可能性が高いことを検出して、該アンチノイズ信号を該変換器により再生される該オーディオ信号から除去する、
集積回路。
【請求項５３】
前記少なくとも１つの適応フィルターは、前記ソースオーディオを作成する第二の経路応答を有する第二の経路適応フィルター、および該ソースオーディオを前記エラーマイクロフォン信号から除去するコンバイナーを含むことにより、アンチノイズと前記聞く人に送達される周囲オーディオサウンドとの組み合わせを示すエラー信号を提供し、前記処理回路は、該適応フィルターを、該第二の経路適応フィルターのコピーの出力と相互に関連づけられる該エラー信号の成分を最小にするように適応させ、該処理回路は、該アンチノイズ信号が誤っている可能性が高いことを検出することに応答して、該アンチノイズ信号を該第二の経路適応フィルターの入力にさらに向け、該アンチノイズ信号を生成するための前記基準マイクロフォン信号をフィルターにかける別の適応フィルターの適応は、連続したままである、請求項５２に記載の集積回路。
【請求項５４】
前記少なくとも１つの適応フィルターは、前記ソースオーディオを作成する第二の経路応答を有する第二の経路適応フィルター、および該ソースオーディオを前記エラーマイクロフォン信号から除去するコンバイナーを含むことにより、アンチノイズと前記聞く人に送達される周囲オーディオサウンドとの組み合わせを示すエラー信号を提供し、前記処理回路は、該適応フィルターを、該第二の経路適応フィルターのコピーの出力と相互に関連づけられる該エラー信号の成分を最小にするように適応させ、該処理回路は、該アンチノイズ信号が誤っている可能性が高いことを検出することに応答して、該アンチノイズ信号を該第二の経路適応フィルターの入力にさらに向け、該アンチノイズ信号を生成するための前記基準マイクロフォン信号をフィルターにかける別の適応フィルターの適応は、停止させられる、請求項５２に記載の集積回路。
【請求項５５】
パーソナルオーディオデバイスであって、該パーソナルオーディオデバイスは、
パーソナルオーディオデバイスハウジングと、
オーディオ信号を再生するために該ハウジングに取りつけられている変換器であって、該オーディオ信号は、聞く人へのプレイバックのためのソースオーディオと、該変換器の音響出力における周囲オーディオサウンドの影響を打ち消すためのアンチノイズ信号との両方を含む、変換器と、
該周囲オーディオサウンドを示す基準マイクロフォン信号を提供するために該ハウジングに取りつけられている基準マイクロフォンと、
該変換器の該音響出力および該変換器における該周囲オーディオサウンドを示すエラーマイクロフォン信号を提供するために該変換器に近接して該ハウジングに取りつけられているエラーマイクロフォンと、
少なくとも１つの適応フィルターを実装する処理回路と
を含み、該少なくとも１つの適応フィルターは、該聞く人によって聞かれる該周囲オーディオサウンドの存在を弱めるための該アンチノイズ信号を該基準信号から生成する応答を有し、該少なくとも１つの適応フィルターの該応答の適応制御は、該少なくとも１つの適応フィルターの該応答を事前に決定された応答に特定の変化率で戻す漏れ特性を有し、該処理回路は、該適応フィルターの該応答を該エラーマイクロフォンにおける該周囲オーディオサウンドを最小にするように適応させることによって、該エラーマイクロフォン信号と該基準マイクロフォン信号とに適合した該少なくとも１つの適応フィルターの該応答を作成し、該処理回路は、近端の発話が発生していることを検出することに応答して、該少なくとも１つの適応フィルターの該漏れ特性を変化させる、
パーソナルオーディオデバイス。
【請求項５６】
パーソナルオーディオデバイスの変換器の近くにおいて周囲オーディオサウンドをキャンセルする方法であって、該方法は、
基準マイクロフォン信号を生成する基準マイクロフォンを用いて周囲オーディオサウンドを測定する第一の測定を行うことと、
エラーマイクロフォンを用いて、該変換器の出力および該変換器における該周囲オーディオサウンドを測定する第二の測定を行うことと、
該変換器の音響出力における周囲オーディオサウンドの影響を打ち消すために、該基準マイクロフォンの出力をフィルターにかける適応フィルターの応答を適応させることによって、該第一の測定を行うことおよび該第二の測定を行うことの結果からアンチノイズ信号を適応的に生成することであって、該適応フィルターの該応答の適応制御は、該適応フィルターの該応答を事前に決定された応答に特定の変化率で戻す漏れ特性を有する、ことと、
該変換器に提供されるオーディオ信号を生成するために、前記アンチノイズ信号をソースオーディオ信号と組み合わせることと、
近端の発話を検出することと、
該近端の発話を検出することに応答して、該漏れ特性を変化させることと
を含む、方法。
【請求項５７】
パーソナルオーディオデバイスの少なくとも一部を実装する集積回路であって、該集積回路は、
信号を変換器に提供する出力であって、該信号は、聞く人へのプレイバックのためのソースオーディオと、該変換器の音響出力における周囲オーディオサウンドの影響を打ち消すためのアンチノイズ信号との両方を含む、出力と、
該周囲オーディオサウンドを示す基準マイクロフォン信号を受信する基準マイクロフォン入力と、
該変換器の該出力および該変換器における該周囲オーディオサウンドを示すエラーマイクロフォン信号を受信するエラーマイクロフォン入力と、
少なくとも１つの適応フィルターを実装する処理回路と
を含み、該少なくとも１つの適応フィルターは、該聞く人によって聞かれる該周囲オーディオサウンドの存在を弱めるための該アンチノイズ信号を該基準信号から生成する応答を有し、該少なくとも１つの適応フィルターの該応答の適応制御は、該少なくとも１つの適応フィルターの該応答を事前に決定された応答に特定の変化率で戻す漏れ特性を有し、該処理回路は、該適応フィルターの該応答を該エラーマイクロフォンにおける該周囲オーディオサウンドを最小にするように適応させることによって、該エラーマイクロフォン信号と該基準マイクロフォン信号とに適合した該少なくとも１つの適応フィルターの該応答を作成し、該処理回路は、近端の発話が発生していることを検出することに応答して、該少なくとも１つの適応フィルターの該漏れ特性を変化させる、
集積回路。
【手続補正２】
【補正対象書類名】明細書
【補正対象項目名】０００７
【補正方法】変更
【補正の内容】
【０００７】
基準およびエラーマイクロフォンから受信されるオーディオを分析することによって、ＡＮＣ処理回路は、存在する周囲オーディオのタイプに従って制御されうる。特定の状況のもと、ＡＮＣ処理回路は、周囲オーディオサウンドの効果的なキャンセルを引き起こすアンチノイズ信号を生成することができないことがあり、たとえば、変換器がそのような応答を生成可能でないか、または適切なアンチノイズが決定されることが可能でない。特定の条件は、適応フィルター（単数または複数）が無秩序な動きまたは他の制御されていない動きを示す原因ともなりうる。本発明のＡＮＣ処理回路は、そのような条件を検出して、そのような事象の影響を弱め、誤ったアンチノイズ信号が生成されることを防ぐために、適応フィルター（単数または複数）に措置をとる。
本願明細書は、例えば、以下の項目も提供する。
（項目１）
パーソナルオーディオデバイスであって、該パーソナルオーディオデバイスは、
パーソナルオーディオデバイスハウジングと、
オーディオ信号を再生するために該ハウジングに取りつけられている変換器であって、該オーディオ信号は、聞く人へのプレイバックのためのソースオーディオと、該変換器の音響出力における周囲オーディオサウンドの影響を打ち消すためのアンチノイズ信号との両方を含む、変換器と、
該周囲オーディオサウンドを示す基準マイクロフォン信号を提供するために該ハウジングに取りつけられている基準マイクロフォンと、
該変換器の該音響出力および該変換器における該周囲オーディオサウンドを示すエラーマイクロフォン信号を提供するために該変換器に近接して該ハウジングに取りつけられているエラーマイクロフォンと、
少なくとも１つの適応フィルターを実行する処理回路と
を含み、該少なくとも１つの適応フィルターは、該聞く人によって聞かれる該周囲オーディオサウンドの存在を弱めるための該アンチノイズ信号を該基準信号から生成する応答を有し、該処理回路は、該適応フィルターの該応答を該エラーマイクロフォンにおける該周囲オーディオサウンドを最小にするように適応させることによって、該エラーマイクロフォン信号と該基準マイクロフォン信号とに適合した該少なくとも１つの適応フィルターの該応答を作成し、該処理回路は、該適応フィルターが該アンチノイズ信号において望ましくない成分を生成する原因となりうる周囲オーディオ事象が発生していることを検出して、該少なくとも１つの適応フィルターの該適応を変化させる、
パーソナルオーディオデバイス。
（項目２）
前記処理回路は、前記適応フィルターの少なくとも１つの前記適応を停止させることによって、該適応フィルターの該適応を変化させる、項目１に記載のパーソナルオーディオデバイス。
（項目３）
前記処理回路は、前記周囲オーディオ事象中、前記アンチノイズ信号をさらにミュートする、項目２に記載のパーソナルオーディオデバイス。
（項目４）
前記処理回路は、前記少なくとも１つの適応フィルターの１つ以上の係数を事前に決定された値にセットすることにより、前記周囲オーディオ事象による該少なくとも１つの適応フィルターの前記応答の前記適応の混乱を改善する、項目２に記載のパーソナルオーディオデバイス。
（項目５）
前記周囲オーディオ事象は、風ノイズまたは前記パーソナルオーディオデバイスの前記ハウジングをひっかくことである、項目２に記載のパーソナルオーディオデバイス。
（項目６）
前記周囲オーディオ事象は、前記変換器と前記基準マイクロフォンとの間の連結の変化による、該基準マイクロフォンを通した正のフィードバックによる信号であり、前記処理回路は、前記少なくとも１つの適応フィルターの適応を特定の期間停止させて、該特定の期間が経過した後、該適応フィルターの適応を再開する、項目２に記載のパーソナルオーディオデバイス。
（項目７）
前記特定の期間は、前記周囲オーディオ事象の各発生に対して増加する、項目６に記載のパーソナルオーディオデバイス。
（項目８）
前記周囲オーディオ事象は、前記基準マイクロフォン信号のレベルが事前に決定された範囲から外れることである、項目２に記載のパーソナルオーディオデバイス。
（項目９）
前記処理回路は、前記基準マイクロフォン信号の前記レベルが前記事前に決定された範囲から外れていることを決定することに応答して、前記アンチノイズ信号をミュートする、項目８に記載のパーソナルオーディオデバイス。
（項目１０）
前記周囲オーディオ事象は、実質的にトーンである、項目２に記載のパーソナルオーディオデバイス。
（項目１１）
前記周囲オーディオ事象は、近端の発話である、項目２に記載のパーソナルオーディオデバイス。
（項目１２）
前記少なくとも１つの適応フィルターの前記応答の適応制御は、該少なくとも１つの適応フィルターの該応答を事前に決定された応答に特定の変化率で戻す漏れ特性を有し、前記処理回路は、前記周囲オーディオ事象が発生していることを検出することに応答して、該漏れ特性を変化させることにより、該少なくとも１つの適応フィルターの前記適応を変化させる、項目１に記載のパーソナルオーディオデバイス。
（項目１３）
前記周囲オーディオ事象は、近端の発話である、項目１２に記載のパーソナルオーディオデバイス。
（項目１４）
前記少なくとも１つの適応フィルターは、前記アンチノイズ信号を生成するための前記基準マイクロフォン信号をフィルターにかける適応フィルターを含み、前記処理回路は、前記周囲オーディオ事象を検出することに応答して、該基準マイクロフォン信号をフィルターにかける該適応フィルターの前記適応を変化させる、項目１に記載のパーソナルオーディオデバイス。
（項目１５）
前記少なくとも１つの適応フィルターは、前記ソースオーディオを作成する第二の経路応答を有する第二の経路適応フィルター、および該ソースオーディオを前記エラーマイクロフォン信号から除去するコンバイナーを含むことにより、アンチノイズと前記聞く人に送達される周囲オーディオサウンドとの組み合わせを示すエラー信号を提供し、前記処理回路は、該適応フィルターを、該第二の経路適応フィルターのコピーの出力と相互に関連づけられる該エラー信号の成分を最小にするように適応させ、該処理回路は、前記周囲オーディオ事象を検出することに応答して、該第二の経路適応フィルターの該適応を変化させる、項目１に記載のパーソナルオーディオデバイス。
（項目１６）
前記周囲オーディオ事象は、前記ソースオーディオのレベルが事前に決定された範囲から外れることであり、前記処理回路は、該ソースオーディオの該レベルが該事前に決定された範囲から外れていることを決定することに応答して、前記第二の経路適応フィルターの適応を停止させる、項目１５に記載のパーソナルオーディオデバイス。
（項目１７）
パーソナルオーディオデバイスの変換器の近くにおいて周囲オーディオサウンドをキャンセルする方法であって、該方法は、
基準マイクロフォン信号を生成するために基準マイクロフォンを用いて周囲オーディオサウンドを測定する第一の測定を行うことと、
エラーマイクロフォンを用いて、該変換器の出力および該変換器における該周囲オーディオサウンドを測定する第二の測定を行うことと、
該変換器の音響出力における該周囲オーディオサウンドの影響を打ち消すために、該基準マイクロフォンの出力をフィルターにかける適応フィルターの応答を適応させることによって、該第一の測定を行うことおよび該第二の測定を行うことの結果からアンチノイズ信号を適応的に生成することと、
該変換器に提供されるオーディオ信号を生成するために、前記アンチノイズ信号をソースオーディオ信号と組み合わせることと、
該適応フィルターが該アンチノイズ信号において望ましくない成分を生成する原因となりうる周囲オーディオ事象が発生していることを検出することと、
該検出することに応答して、該少なくとも一つの適応フィルターの該応答を変化させることと
を含む、方法。
（項目１８）
前記変化させることは、前記適応フィルターの少なくとも１つの前記適応を停止させることによって、該適応フィルターの該適応を変化させる、項目１７に記載の方法。
（項目１９）
前記周囲オーディオ事象中、前記アンチノイズ信号をミュートすることをさらに含む、項目１８に記載の方法。
（項目２０）
前記変化させることは、前記少なくとも１つの適応フィルターの１つ以上の係数を事前に決定された値にセットすることにより、前記周囲オーディオ事象による該少なくとも１つの適応フィルターの前記応答の前記適応の混乱を改善する、項目１８に記載の方法。
（項目２１）
前記周囲オーディオ事象は、風ノイズまたは前記パーソナルオーディオデバイスのハウジングをひっかくことである、項目１８に記載の方法。
（項目２２）
前記周囲オーディオ事象は、前記変換器と前記基準マイクロフォンとの間の連結の変化による、該基準マイクロフォンを通した正のフィードバックによる信号であり、前記変化させることは、前記少なくとも１つの適応フィルターの適応を特定の期間停止させ、該特定の期間が経過した後、該適応フィルターの適応を再開することを含む、項目１８に記載の方法。
（項目２３）
前記特定の期間を前記周囲オーディオ事象の各発生に対して増加させることをさらに含む、項目２２に記載の方法。
（項目２４）
前記周囲オーディオ事象は、前記基準マイクロフォン信号のレベルが事前に決定された範囲から外れることである、項目１８に記載の方法。
（項目２５）
前記変化させることは、前記基準マイクロフォン信号の前記レベルが前記事前に決定された範囲から外れていることを決定することに応答して、前記アンチノイズ信号をミュートすることを含む、項目２４に記載の方法。
（項目２６）
前記周囲オーディオ事象は、実質的にトーンである、項目１８に記載の方法。
（項目２７）
前記周囲オーディオ事象は、近端の発話である、項目１８に記載の方法。
（項目２８）
前記少なくとも１つの適応フィルターの前記応答の適応制御は、該少なくとも１つの適応フィルターの該応答を事前に決定された応答に特定の変化率で戻す漏れ特性を有し、前記変化させることは、前記周囲オーディオ事象が発生していることを検出することに応答して、該漏れ特性を変化させることにより、該少なくとも１つの適応フィルターの前記適応を変化させる、項目１７に記載の方法。
（項目２９）
前記周囲オーディオ事象は、近端の発話である、項目２８に記載の方法。
（項目３０）
前記少なくとも１つの適応フィルターは、前記アンチノイズ信号を生成するための前記基準マイクロフォン信号をフィルターにかける適応フィルターを含み、前記変化させることは、前記周囲オーディオ事象を検出することに応答して、該基準マイクロフォン信号をフィルターにかける該適応フィルターの前記適応を変化させる、項目１７に記載の方法。
（項目３１）
前記少なくとも１つの適応フィルターは、前記ソースオーディオを作成する第二の経路応答を有する第二の経路適応フィルターを含み、かつ該ソースオーディオを前記エラーマイクロフォン信号から除去することにより、アンチノイズと聞く人に送達される周囲オーディオサウンドとの組み合わせを示すエラー信号を提供し、前記方法は、該第二の経路適応フィルターの該応答を、該エラー信号と相互に関連づけられる前記基準信号の成分を最小にするように適応させることを含み、前記変化させることは、前記周囲オーディオ事象を検出することに応答して、該第二の経路適応フィルターの該適応を変化させる、項目１７に記載の方法。
（項目３２）
前記周囲オーディオ事象は、前記ソースオーディオのレベルが事前に決定された範囲から外れることであり、前記変化させることは、該ソースオーディオの該レベルが該事前に決定された範囲から外れていることを決定することに応答して、前記第二の経路適応フィルターの応答を停止させる、項目３１に記載の方法。
（項目３３）
パーソナルオーディオデバイスの少なくとも一部を実行する集積回路であって、該集積回路は、
信号を変換器に提供する出力であって、該信号は、聞く人へのプレイバックのためのソースオーディオと、該変換器の音響出力における周囲オーディオサウンドの影響を打ち消すためのアンチノイズ信号との両方を含む、出力と、
該周囲オーディオサウンドを示す基準マイクロフォン信号を受信する基準マイクロフォン入力と、
該変換器の該出力および該変換器における該周囲オーディオサウンドを示すエラーマイクロフォン信号を受信するエラーマイクロフォン入力と、
適応フィルターを実行する処理回路と
を含み、該適応フィルターは、該聞く人によって聞かれる該周囲オーディオサウンドの存在を弱めるための該アンチノイズ信号を該基準信号から生成する応答を有し、該処理回路は、該適応フィルターの該応答を該エラーマイクロフォン信号における該周囲オーディオサウンドを最小にするように適応させることによって、該エラーマイクロフォン信号と該基準マイクロフォン信号とに適合した該適応フィルターの該応答を作成し、該処理回路は、該適応フィルターが該アンチノイズ信号において望ましくない成分を生成する原因となりうる周囲オーディオ事象が発生していることを検出して、該少なくとも１つの適応フィルターの該適応を変化させる、
集積回路。
（項目３４）
前記処理回路は、前記適応フィルターの少なくとも１つの前記適応を停止させることによって、該適応フィルターの該適応を変化させる、項目３３に記載の集積回路。
（項目３５）
前記処理回路は、前記周囲オーディオ事象中、前記アンチノイズ信号をさらにミュートする、項目３４に記載の集積回路。
（項目３６）
前記処理回路は、前記少なくとも１つの適応フィルターの１つ以上の係数を事前に決定された値にセットすることにより、前記周囲オーディオ事象による該少なくとも１つの適応フィルターの前記応答の前記適応の混乱を改善する、項目３４に記載の集積回路。
（項目３７）
前記周囲オーディオ事象は、風ノイズまたは前記パーソナルオーディオデバイスの前記ハウジングをひっかくことである、項目３４に記載の集積回路。
（項目３８）
前記周囲オーディオ事象は、前記変換器と前記基準マイクロフォンとの間の連結の変化による、該基準マイクロフォンを通した正のフィードバックによる信号であり、前記処理回路は、前記少なくとも１つの適応フィルターの適応を特定の期間停止させて、該特定の期間が経過した後、該適応フィルターの適応を再開する、項目３４に記載の集積回路。
（項目３９）
前記特定の期間は、前記周囲オーディオ事象の各発生に対して増加する、項目３８に記載の集積回路。
（項目４０）
前記周囲オーディオ事象は、前記基準マイクロフォン信号のレベルが事前に決定された範囲から外れることである、項目３４に記載の集積回路。
（項目４１）
前記処理回路は、前記基準マイクロフォン信号の前記レベルが前記事前に決定された範囲から外れていることを決定することに応答して、前記アンチノイズ信号をミュートする、項目４０に記載の集積回路。
（項目４２）
前記周囲オーディオ事象は、実質的にトーンである、項目３４に記載の集積回路。
（項目４３）
前記周囲オーディオ事象は、近端の発話である、項目３４に記載の集積回路。
（項目４４）
前記少なくとも１つの適応フィルターの前記応答の適応制御は、該少なくとも１つの適応フィルターの該応答を事前に決定された応答に特定の変化率で戻す漏れ特性を有し、前記処理回路は、前記周囲オーディオ事象が発生していることを検出することに応答して、該漏れ特性を変化させることにより、該少なくとも１つの適応フィルターの前記適応を変化させる、項目３３に記載の集積回路。
（項目４５）
前記周囲オーディオ事象は、近端の発話である、項目４４に記載の集積回路。
（項目４６）
前記少なくとも１つの適応フィルターは、前記アンチノイズ信号を生成するための前記基準マイクロフォン信号をフィルターにかける適応フィルターを含み、前記処理回路は、前記周囲オーディオ事象を検出することに応答して、該基準マイクロフォン信号をフィルターにかける該適応フィルターの前記適応を変化させる、項目３３に記載の集積回路。
（項目４７）
前記少なくとも１つの適応フィルターは、前記ソースオーディオを作成する第二の経路応答を有する第二の経路適応フィルター、および該ソースオーディオを前記エラーマイクロフォン信号から除去するコンバイナーを含むことにより、アンチノイズと前記聞く人に送達される周囲オーディオサウンドとの組み合わせを示すエラー信号を提供し、前記処理回路は、該適応フィルターを、該第二の経路適応フィルターのコピーの出力と相互に関連づけられる該エラー信号の成分を最小にするように適応させ、該処理回路は、前記周囲オーディオ事象を検出することに応答して、該第二の経路適応フィルターの該適応を変化させる、項目３３に記載の集積回路。
（項目４８）
前記周囲オーディオ事象は、前記ソースオーディオのレベルが事前に決定された範囲から外れることであり、前記処理回路は、該ソースオーディオの該レベルが該事前に決定された範囲から外れていることを決定することに応答して、前記第二の経路適応フィルターの適応を停止させる、項目４７に記載の集積回路。
（項目４９）
パーソナルオーディオデバイスであって、該パーソナルオーディオデバイスは、
パーソナルオーディオデバイスハウジングと、
オーディオ信号を再生するために該ハウジングに取りつけられている変換器であって、該オーディオ信号は、聞く人へのプレイバックのためのソースオーディオと、該変換器の音響出力における周囲オーディオサウンドの影響を打ち消すためのアンチノイズ信号との両方を含む、変換器と、
該周囲オーディオサウンドを示す基準マイクロフォン信号を提供するために該ハウジングに取りつけられている基準マイクロフォンと、
該変換器の該音響出力および該変換器における該周囲オーディオサウンドを示すエラーマイクロフォン信号を提供するために該変換器に近接して該ハウジングに取りつけられているエラーマイクロフォンと、
少なくとも１つの適応フィルターを実行する処理回路と
を含み、該少なくとも１つの適応フィルターは、該聞く人によって聞かれる該周囲オーディオサウンドの存在を弱めるための該アンチノイズ信号を該基準信号から生成する応答を有し、該処理回路は、該適応フィルターの該応答を該エラーマイクロフォンにおける該周囲オーディオサウンドを最小にするように適応させることによって、該エラーマイクロフォン信号と該基準マイクロフォン信号とに適合した該少なくとも１つの適応フィルターの該応答を作成し、該処理回路は、該アンチノイズ信号が誤っている可能性が高いことを検出して、該アンチノイズ信号を該変換器により再生される該オーディオ信号から除去する、
パーソナルオーディオデバイス。
（項目５０）
前記処理回路は、前記少なくとも一つの適応フィルターの前記係数における無秩序な動きを検出して、応答における前記アンチノイズ信号を除去する、項目４９に記載のパーソナルオーディオデバイス。
（項目５１）
前記少なくとも１つの適応フィルターは、前記ソースオーディオを作成する第二の経路応答を有する第二の経路適応フィルター、および該ソースオーディオを前記エラーマイクロフォン信号から除去するコンバイナーを含むことにより、アンチノイズと前記聞く人に送達される周囲オーディオサウンドとの組み合わせを示すエラー信号を提供し、前記処理回路は、該適応フィルターを、該第二の経路適応フィルターのコピーの出力と相互に関連づけられる該エラー信号の成分を最小にするように適応させ、該処理回路は、該アンチノイズ信号が誤っている可能性が高いことを検出することに応答して、該アンチノイズ信号を該第二の経路適応フィルターの入力にさらに向け、該アンチノイズ信号を生成するための前記基準マイクロフォン信号をフィルターにかける別の適応フィルターの適応は、連続したままである、項目４９に記載のパーソナルオーディオデバイス。
（項目５２）
前記少なくとも１つの適応フィルターは、前記ソースオーディオを作成する第二の経路応答を有する第二の経路適応フィルター、および該ソースオーディオを前記エラーマイクロフォン信号から除去するコンバイナーを含むことにより、アンチノイズと前記聞く人に送達される周囲オーディオサウンドとの組み合わせを示すエラー信号を提供し、前記処理回路は、該適応フィルターを、該第二の経路適応フィルターのコピーの出力と相互に関連づけられる該エラー信号の成分を最小にするように適応させ、該処理回路は、該アンチノイズ信号が誤っている可能性が高いことを検出することに応答して、該アンチノイズ信号を該第二の経路適応フィルターの入力にさらに向け、該アンチノイズ信号を生成するための前記基準マイクロフォン信号をフィルターにかける別の適応フィルターの適応は、停止させられる、項目４９に記載のパーソナルオーディオデバイス。
（項目５３）
パーソナルオーディオデバイスの変換器の近くにおいて周囲オーディオサウンドをキャンセルする方法であって、該方法は、
基準マイクロフォン信号を生成する基準マイクロフォンを用いて周囲オーディオサウンドを測定する第一の測定を行うことと、
エラーマイクロフォンを用いて、該変換器の出力および該変換器における該周囲オーディオサウンドを測定する第二の測定を行うことと、
該変換器の音響出力における該周囲オーディオサウンドの影響を打ち消すために、該基準マイクロフォンの出力をフィルターにかける適応フィルターの応答を適応させることによって、該第一の測定を行うことおよび該第二の測定を行うことの結果からアンチノイズ信号を適応的に生成することと、
該変換器に提供されるオーディオ信号を生成するために、前記アンチノイズ信号をソースオーディオ信号と組み合わせることと、
該アンチノイズ信号が誤っている可能性が高いことを検出することと、
該検出することに応答して、該アンチノイズ信号を該変換器により再生される該オーディオ信号から除去することと
を含む、方法。
（項目５４）
前記検出することは、前記少なくとも１つの適応フィルターの係数における無秩序な動きを検出する、項目５３に記載の方法。
（項目５５）
前記少なくとも１つの適応フィルターは、前記ソースオーディオを作成する第二の経路応答を有する第二の経路適応フィルターを含み、かつ該ソースオーディオを前記エラーマイクロフォン信号から除去することにより、アンチノイズと聞く人に送達される周囲オーディオサウンドとの組み合わせを示すエラー信号を提供し、前記方法は、
該第二の経路適応フィルターの該応答を、該エラー信号と相互に関連づけられる前記基準信号の成分を最小にするように適応させることと、
該アンチノイズ信号が誤っている可能性が高いことを検出することに応答して、該アンチノイズ信号を該第二の経路適応フィルターの入力に向けることと、
該アンチノイズ信号を生成するための該基準マイクロフォン信号をフィルターにかける別の適応フィルターの連続した適応を続けることと
をさらに含む、項目５３に記載の方法。
（項目５６）
前記少なくとも１つの適応フィルターは、前記ソースオーディオを作成する第二の経路応答を有する第二の経路適応フィルターを含み、かつ該ソースオーディオを前記エラーマイクロフォン信号から除去することにより、アンチノイズと聞く人に送達される周囲オーディオサウンドとの組み合わせを示すエラー信号を提供し、前記方法は、
該第二の経路適応フィルターの該応答を、該エラー信号と相互に関連づけられる前記基準信号の成分を最小にするように適応させることと、
該アンチノイズ信号が誤っている可能性が高いことを検出することに応答して、該アンチノイズ信号を該第二の経路適応フィルターの入力に向けることと、
該アンチノイズ信号を生成するための該基準マイクロフォン信号をフィルターにかける別の適応フィルターの適応を停止させることと
をさらに含む、項目５３に記載のパーソナルオーディオデバイス。
（項目５７）
パーソナルオーディオデバイスの少なくとも一部を実行する集積回路であって、該集積回路は、
信号を変換器に提供する出力であって、該信号は、聞く人へのプレイバックのためのソースオーディオと、該変換器の音響出力における周囲オーディオサウンドの影響を打ち消すためのアンチノイズ信号との両方を含む、出力と、
該周囲オーディオサウンドを示す基準マイクロフォン信号を受信する基準マイクロフォン入力と、
該変換器の該出力および該変換器における該周囲オーディオサウンドを示すエラーマイクロフォン信号を受信するエラーマイクロフォン入力と、
少なくとも１つの適応フィルターを実行する処理回路と
を含み、該少なくとも１つの適応フィルターは、該聞く人によって聞かれる該周囲オーディオサウンドの存在を弱めるための該アンチノイズ信号を該基準信号から生成する応答を有し、該処理回路は、該適応フィルターの該応答を該エラーマイクロフォン信号における該周囲オーディオサウンドを最小にするように適応させることによって、該エラーマイクロフォン信号と該基準マイクロフォン信号とに適合した該少なくとも１つの適応フィルターの該応答を作成し、該処理回路は、該アンチノイズ信号が誤っている可能性が高いことを検出して、該アンチノイズ信号を該変換器により再生される該オーディオ信号から除去する、
集積回路。
（項目５８）
前記処理回路は、前記少なくとも１つの適応フィルターの係数における無秩序な動きを検出して、応答における前記アンチノイズ信号を除去する、項目５７に記載の集積回路。
（項目５９）
前記少なくとも１つの適応フィルターは、前記ソースオーディオを作成する第二の経路応答を有する第二の経路適応フィルター、および該ソースオーディオを前記エラーマイクロフォン信号から除去するコンバイナーを含むことにより、アンチノイズと前記聞く人に送達される周囲オーディオサウンドとの組み合わせを示すエラー信号を提供し、前記処理回路は、該適応フィルターを、該第二の経路適応フィルターのコピーの出力と相互に関連づけられる該エラー信号の成分を最小にするように適応させ、該処理回路は、該アンチノイズ信号が誤っている可能性が高いことを検出することに応答して、該アンチノイズ信号を該第二の経路適応フィルターの入力にさらに向け、該アンチノイズ信号を生成するための前記基準マイクロフォン信号をフィルターにかける別の適応フィルターの適応は、連続したままである、項目５７に記載の集積回路。
（項目６０）
前記少なくとも１つの適応フィルターは、前記ソースオーディオを作成する第二の経路応答を有する第二の経路適応フィルター、および該ソースオーディオを前記エラーマイクロフォン信号から除去するコンバイナーを含むことにより、アンチノイズと前記聞く人に送達される周囲オーディオサウンドとの組み合わせを示すエラー信号を提供し、前記処理回路は、該適応フィルターを、該第二の経路適応フィルターのコピーの出力と相互に関連づけられる該エラー信号の成分を最小にするように適応させ、該処理回路は、該アンチノイズ信号が誤っている可能性が高いことを検出することに応答して、該アンチノイズ信号を該第二の経路適応フィルターの入力にさらに向け、該アンチノイズ信号を生成するための前記基準マイクロフォン信号をフィルターにかける別の適応フィルターの適応は、停止させられる、項目５７に記載の集積回路。